(57)【要約】      （修正有）【課題】鍵等の小物を取り付ける吊下具をポケット部に備えたスクールバッグにおいて、鍵等の小物の吊下具への着脱を容易とすること。【解決手段】底板４の両端に大マチ５を連設して成る胴部３と胴部３の背面側に装着した背板６と胴部４の正面側に装着した大仕切板７で構成される主収容部２と、大仕切板７の正面側に備えた胴前収容部８と、胴前収容部８の正面側に備えたポケット部１２と、主収容部２に取り付けた蓋１７と、背板６取り付けた一対の肩ベルト１８と、ポケット部１２の内部に取り付けた吊下具２１を備え、吊下具２１は、ポケット部１２内に取り付けられる装着片と、装着片に連設されるとともに先端部に係止部が形成された揺動片と、係止部に係止された環体を具備し、揺動片は、係止部に係止した状態の環体をポケット部１２の外に取り出すことが可能な長さとした。【選択図】図１
0003170119.tif 000002
【実用新案登録請求の範囲】
【請求項１】
底板（４）と該底板（４）の両端部に上方向へ連設させた一対の大マチ（５）とで形成した胴部（３）と、該胴部（３）の背面側に取り付けた背板（６）と、前記胴部（３）の正面側に取り付けた大仕切板（７）とにより構成される、上部を開口とした主収容部（２）と、
前記大仕切板（７）の正面側に備えた、底部（９）と、該底部（９）の両端に上方向へ連設させた一対の中マチ（１０）と、前記底部（９）及び中マチ（１０）の正面側端部に連設した中仕切り板（１１）と、を具備した、上部を開口とした胴前収容部（８）と、
該胴前収容部（８）の正面側に備えた、開閉自在な開口部（１６）を備えたポケット部（１２）と、
前記主収容部（２）に取り付けられた、少なくとも前記主収容部（２）から前記ポケット部（１２）の開口部（１６）までを開閉自在に覆う蓋（１７）と、
前記主収容部（２）における背面側に取り付けた一対の肩ベルト（１８）と、
前記ポケット部（１２）の内部に取り付けた吊下具（２１）と、を備えたスクールバッグにおいて、
前記吊下具（２１）は、
前記ポケット部（１２）内に取り付けられる装着片（２２）と、
該装着片（２２）に連設されるとともに、先端部には環状の係止部（２４）が形成された揺動片（２３）と、
該揺動片（２３）の先端に形成された前記係止部（２４）に係止された環体（２５）と、を具備して、
前記揺動片（２３）は、前記係止部（２４）に係止した状態の前記環体（２５）を前記ポケット部（１２）の外に取り出すことが可能な長さとした、ことを特徴とするスクールバッグ。
【請求項２】
前記環体（２５）がＤ環であることを特徴とする請求項１に記載のスクールバッグ。
【請求項３】
前記装着片（２２）を、前記ポケット部（１２）の内部における前記中仕切り板（１１）の上方部分に装着したことを特徴とする請求項１又は請求項２に記載のスクールバッグ。
【考案の詳細な説明】
【技術分野】
【０００１】
本考案はスクールバッグに係り、より詳しくは、ポケット部内に鍵等の小物を収容する吊下具を備えたスクールバッグにおいて、小物の吊下具への着脱を容易としたスクールバッグに関する。
【背景技術】
【０００２】
ランドセルに代表されるスクールバッグは、一般的に、底板とこの底板の両端部に上方向へ連設させた大マチ部とで構成される胴部と、この胴部の背面側に取り付けられた背板と、胴部の正面側には取り付けられた大仕切板とで構成される主収容部を備え、この主収容部には開閉自在に蓋が備えられ、更に、背板には一対の肩ベルトが取り付けられている。
【０００３】
そして、近年は、肩ベルトの一方あるいは双方にＤ環等の環体を取り付け、鍵や防犯ブザー等の小物を、この環体を介して肩ベルトに取り付けて携行するのが一般的となっている。
【０００４】
しかしながら、特に鍵などの、他人に見られたり取られたりしてはいけない小物を肩ベルトに取り付けて携行することは、防犯上好ましくない一方、例えば鍵を服のポケットに入れておいた場合には、ポケット内のものを取り出す際に鍵を落としてしまうことも考えられる。
【０００５】
そのため、過去において、ポケット部の内部にＤ環等の連結具を備えて、鍵等の、小物でかつ防犯上露出を避けることが望ましいものをポケット部の中に収容可能としたスクールバッグが提案されており、これによれば、ポケット部内に鍵等を収容するために、落としてしまうことを防止できるとともに、他人に見られたり、取られたりすることもなく防犯上も安心である。
【先行技術文献】
【特許文献】
【０００６】
【特許文献１】実用新案登録第３１５６０７８号公報
【特許文献２】実用新案登録第３１５５９９９号公報
【考案の概要】
【考案が解決しようとする課題】
【０００７】
ところで、ランドセルに代表されるスクールバッグは周知の通り、主収容部の正面側に胴前収容部を備えており、この胴前収容部の正面側にポケット部を取り付けており、このポケット部は、上部に開口を形成し、この開口をファスナーで開閉自在としている。
【０００８】
そのために、ポケット部内にＤ環等の連結具を備えたスクールバッグにおいては、連結具へ鍵等の小物を取り付ける場合、あるいは、小物の使用に際して連結具に取り付けた鍵等を連結具から取り外す場合には、ファスナーを開いて、ポケット部の上部開口からポケット部内に手を入れて、ポケット部の内部において、連結具への鍵等の取り付け、あるいは連結具からの鍵等の取り外しをする必要があるが、一般的にポケット部は小さく、内部に手を入れることも容易でないために、ポケット部の内部に手を入れて、ポケット部の内部で連結具への鍵の取り付けや連結具からの鍵の取り外しをすることは極めて面倒である。
【０００９】
この点、例えば、コイル状の長いキーホルダーを鍵等に取り付けて、このキーホルダーを連結具に取り付けることで、連結具にキーホルダーを取り付けた状態で鍵を使用することができるので、鍵等の使用に際してポケット部の内部で連結具から鍵等を取り外す必要は無くなるが、その場合でも、連結具へキーホルダーを取り付ける際には、ポケット部の内部で行う必要があるとともに、この場合には、コイル状のキーホルダーを別途用意して鍵等に取り付けておく必要があり、面倒である。
【００１０】
そこで、本考案は、鍵等の小物を取り付ける吊下具をポケット部に備えたスクールバッグにおいて、鍵等の小物の吊下具への着脱を容易とすることを課題としている。
【課題を解決するための手段】
【００１１】
本考案のスクールバッグは、
底板と該底板の両端部に上方向へ連設させた一対の大マチとで形成した胴部と、該胴部の背面側に取り付けた背板と、前記胴部の正面側に取り付けた大仕切板とにより構成される、上部を開口とした主収容部と、
前記大仕切板の正面側に備えた、底部と、該底部の両端に上方向へ連設させた一対の中マチと、前記底部及び中マチの正面側端部に連設した中仕切り板と、を具備した、上部を開口とした胴前収容部と、
該胴前収容部の正面側に備えた、開閉自在な開口部を備えたポケット部と、
前記主収容部に取り付けられた、少なくとも前記主収容部から前記ポケット部の開口部までを開閉自在に覆う蓋と、
前記主収容部における背面側に取り付けた一対の肩ベルトと、
前記ポケット部の内部に取り付けた吊下具と、を備えたスクールバッグであって、
前記吊下具は、
前記ポケット部内に取り付けられる装着片と、
該装着片に連設されるとともに、先端部には環状の係止部が形成された揺動片と、
該揺動片の先端に形成された前記係止部に係止された環体と、を具備して、
前記揺動片は、前記係止部に係止した状態の前記環体を前記ポケット部の外に取り出すことが可能な長さとした、ことを特徴としている。
【考案の効果】
【００１２】
本考案のスクールバッグでは、鍵等の小物を係止可能な吊下具をポケット部の内部に取り付けているとともに、この吊下具は、ポケット部内に取り付けられる装着片と、この装着片に連設され、先端部には環状の係止部が形成された揺動片と、揺動片の先端に形成された係止部に係止された環体を具備しており、揺動片は、係止部に係止した状態の環体をポケット部の外に取り出すことが可能な長さとしている。
【００１３】
そのために、吊下具への鍵等の小物の取り付けや、あるいは鍵等の小物の吊下具からの取り外しを行う際には、環体をポケット部の外に出して行うことができるので、鍵等の小物の吊下具への着脱が極めて容易である。
【図面の簡単な説明】
【００１４】
【図１】本考案のスクールバッグの実施例を正面側から示した斜視図である。
【図２】本考案のスクールバッグの実施例における吊下具を説明するための図である。
【図３】本考案のスクールバッグの実施例における吊下具の作用を説明するための図である。
【考案を実施するための形態】
【００１５】
本考案のスクールバッグでは、主収容部を有しており、この主収容部は、底板とこの底板の両端部に上方向へ連設させた左右の大マチを一体に構成した胴部と、この胴部の背面側に取り付けた背板と、胴部の正面側に取り付けた大仕切板とにより構成され、上部を開口とした箱型形状とされている。
【００１６】
また、前記主収容部の正面側には、上部を開口とした胴前収容部が備えられており、この胴前収容部は、底部と、この底部の両端に上方向へ連設させた一対の中マチを有するとともに、底部及び中マチの正面側端部には、中仕切り板が取り付けられて構成されている。
【００１７】
更に、胴前収容部の正面側にはポケット部が取り付けられており、このポケット部は、開閉自在な開口部を備えている。
【００１８】
また、主収容部には、主収容部の上部開口からポケット部の開口部までを覆うことができるように、開閉可能な配置で、背板側に蓋が取り付けられており、更に、背板には、一対の肩ベルトが取り付けられている。
【００１９】
更にまた、ポケット部の内部には、鍵等の小物を吊り下げるための吊下具が取り付けられており、この吊下具は、ポケット部内において、中仕切り板の上方部分に取り付けられた装着片を有している。
【００２０】
また、この装着片には揺動片が連設されており、揺動片の先端部には環状の係止部が形成され、係止部には、Ｄ環等の環体が係止されている。
【００２１】
そして、揺動片は、係止部に係止した状態の環体を、ポケット部の外に取り出すことが可能な長さとしている。
【実施例１】
【００２２】
本実施例のスクールバッグの実施例について図面を参照して説明すると、図１は本実施例のスクールバッグを正面側から示した斜視図であり、図１において１が本実施例のスクールバッグである。
【００２３】
そして、本実施例におけるスクールバッグ１は、教科書、ノート、筆箱等を収容するための主収容部を有している。即ち、図において２が主収容部であり、この主収容部２は、平面視野を長方形状とした底板４と、この底板４の両端部に上方向へ連設させた大マチ５とで構成される胴部３と、この胴部３の背面側に取り付けられた背板６と、胴部５の正面側に取り付けられた大仕切板７を有して構成されており、上部を開口とした箱型形状としている。
【００２４】
次に、図において８は胴前収容部である。即ち、本実施例のスクールバッグ１では、前記主収容部２の正面側に胴前収容部８が取り付けられており、この胴前収容部８は、底部９とこの底部９の両端に上方へ連設した一対の中マチ１０を有しており、この底部９と一対の中マチ１０は一体に形成されて、前記大仕切板７の正面側に取り付けられている。
【００２５】
そして、前記底部９と中マチ１０の正面側端部には、底部９と中マチ１０の正面側端部で囲まれる開口を閉鎖する配置で、中仕切り板１１が取り付けられており、これにより胴前収容部８は、前記大仕切板７の一部を構成要素として、上部を開口とした箱型形状としている。
【００２６】
次に、前記胴前収容部８の正面側には、ポケット部が取り付けられている。即ち、図において１２がポケット部であり、本実施例において前記ポケット部１２は、左右及び上部に小マチ部１３を有しており、この小マチ部１３の正面側には正面板１４が取り付けられている。
【００２７】
そして、前記小マチ部１３は、門状として前記中仕切板１１の正面側に取り付けられており、前記正面板１４は、前記小マチ１３部により囲まれる正面側の開口を閉鎖する配置で、前記小マチ部１３の正面側端部に取り付けられているとともに、正面板１４の底部は、前記中仕切板１１の下部部分に取り付けられ、これにより、前記ポケット部１２は、左右及び上部の小マチ部１３と、底部を備えた正面板１４を有する構成となっている。
【００２８】
また、前記小マチ部１３における上部部分には切り込みが形成され、この切り込みは左右側の小マチ部１３における高さ方向に見た中間部分近傍にまで伸びており、この切り込みを境にして前記正面板１４は、正面側に開くことを可能にしている。
【００２９】
そして、前記切り込みにはファスナー１５が取り付けられており、これによって前記ポケット部１２は、小マチ部１３の、上部から左右側の高さ方向中間部分近傍にかけて、開閉自在な開口部１６を有している。但し、この開口部１６は、必ずしも、小マチ部１３における上部から左右側の高さ方向中間部分近傍にかけて形成する必要は無く、小マチ部１３の上部のみに形成してもよい。
【００３０】
次に、前記主収容部２には、前記主収容部２の上部開口から前記ポケット部１２の正面板１４のほぼ全体までを覆うことができるような長さ寸法とされた蓋１７が取り付けられており、この蓋１７は、前記背板６の上部に、一側部分が取り付けられるとともに他側部分は自由端とされることで開閉自在とされ、更に他側部分は、図示しない金具によって、底板４に着脱自在に係止されている。なお、前記蓋１７は、必ずしも、主収容部２の上部開口から前記ポケット部１２の正面板１４のほぼ全体までを覆うことができるような長さ寸法にする必要は無く、主収容部２の上部開口から前記ポケット部１２の開口部１６までを覆うことができれば良い。
【００３１】
次に、前記背板６には、一対の肩ベルトが取り付けられている。即ち、図において１８が肩ベルトであり、この肩ベルト１８は、それぞれの上端が、背板６の上部に取り付けた背環（図示せず）に取り付けられ、下端部分はそれぞれ、連結金具を介して、前記底板４に装着しただるま環（図示せず）に回動自在に装着した下ベルトに、着脱自在に連結されている。
【００３２】
次に、図において２１は、鍵等の小物を吊り下げるための吊下具である。即ち、本実施例のスクールバッグ１では、前記ポケット部１２内に吊下具２１を取り付けており、これにより、鍵等の小物を、外部に露出させることなくスクールバッグ１に取り付けることを可能にしている。
【００３３】
ここで、前記吊下具２１について説明すると、図２は本実施例における前記吊下具２１を説明するための図であり、図において１２は、前記ポケット部の一部である。
【００３４】
そして、本実施例において前記吊下具２１は、スクールバッグ１に取り付けるための装着片を備えている。即ち、図において２２が装着片であり、この装着片２２は、扁平な布で構成しており、前記ポケット部１２の内部において、前記中仕切板１１の右上方部分に、縫製、ビス止め、接着等により固着してある。
【００３５】
そして、前記装着片２２には揺動片２３が連設してあり、この揺動片２３は、長さを有する扁平な布製とし、前記装着片２２と一体に形成するとともに、揺動自在としている。
【００３６】
また、前記揺動片２３は、その先端を、揺動片２３の先端よりもわずかに手前側の部分の裏面に固着しており、これにより、揺動片２３の先端には環状の係止部２４を形成している。
【００３７】
そして、揺動片２３の先端の前記係止部２４には、環体としてのＤ環２５が係止されており、このＤ環２５に鍵等の小物を係止可能としている。
【００３８】
ここで、図３は、前記Ｄ環２５を上方に持ち上げた状態を示した図であり、本実施例において前記揺動片２３は、図３にも示されているように、前記係止部２４に係止されている状態の前記Ｄ環２５を上方に持ち上げた際に、Ｄ環２５を前記ポケット部１２の外に取り出すことが可能な長さとしている。即ち、前記揺動片２３を上方に引き上げることで、Ｄ環２５をポケット部１２の外側に出すことを可能にしている。
【００３９】
従って、本実施例のスクールバッグ１によれば、Ｄ環２５をポケット部１２の外に出すことで、ポケット部１２の外で、吊下具への鍵等の小物の取り付けや、あるいは鍵等の小物の吊下具からの取り外しを行うことができるので、吊下具に対する鍵等の小物の着脱が極めて容易である。
【００４０】
なお、装着片２２の固着箇所は、必ずしも、中仕切板１１の右上方部分には限定されず、その他の箇所でもよく、また、中仕切板１１には限定されず、正面板１４や、あるいは小マチ１３に装着してもよい。
【００４１】
また、環体は必ずしもＤ環である必要はなく、鍵等の小物を係止可能な環体であればいずれの形状でもよい。
【００４２】
次に、このように構成される本実施例のスクールバッグ１の作用について説明すると、本実施例のスクールバッグ１において、鍵等の小物ＫをＤ環２５に取り付ける場合、あるいは、Ｄ環２５に取り付けてある鍵等の小物ＫをＤ環から取り外す場合には、ポケット部１２のファスナー１５を操作してポケット部１２の開口部１６を開いた後に、ポケット部１２の中に手あるいは指を入れて、吊下具２１の揺動片２３あるいはＤ環２５を上方に引き上げて、Ｄ環２５をポケット部１２の外側に出し、その状態で、鍵等の小物ＫをＤ環２５に取り付け、あるいは、Ｄ環２５に取り付けてある鍵等の小物ＫをＤ環から取り外す。
【００４３】
従って、本実施例によれば、ポケット部１２の外で、Ｄ環２５への鍵等の小物の取り付け、あるいはＤ環２５に取り付けてある鍵等の小物のＤ環からの取り外しを行うことができる。
【００４４】
このように、本実施例のスクールバッグ１では、ポケット部１２の外で、吊下具への鍵等の小物の取り付けや、吊下具からの鍵等の小物の取り外しを行うことができ、従って、ポケット部１２の中に手を入れてＤ環への鍵等の小物の取り付けや取り外しを行うことが不要であるため、ポケット部内に取り付けた吊下具への鍵等の小物の着脱が極めて容易である。
【産業上の利用可能性】
【００４５】
本考案のスクールバッグでは、ポケット部の内部に吊下具を取り付けたスクールバッグにおいて、吊下具をポケット部の外へ出すことを可能にすることで、吊下具への鍵等の小物の取り付けや取り外しを容易にしたことを特徴としているために、ポケット部の内部に吊下具を取り付けたスクールバッグの全般に適用可能である。
【符号の説明】
【００４６】
１    ランドセル
２    主収容部
３    胴部
４    底板
５    大マチ
６    背板
７    大仕切板
８    胴前収容部
９    底部
１０    中マチ
１１    中仕切板
１２    ポケット部
１３    小マチ部
１４    正面板
１５    ファスナー
１６    開口
１７    蓋
１８    肩ベルト
２１    吊下具
２２    装着片
２３    揺動片
２４    係止部
２５    Ｄ環
Ｋ    鍵
【図１】
0003170119.tif 000003
【図２】
0003170119.tif 000004
【図３】
0003170119.tif 000005